【事件の表示】
　平成１１年特許願第１０５９４３号「使い捨て拭き取り用具およびその製造方法」拒絶査定不服審判事件〔平成１２年１０月２４日出願公開、特開２０００−２９６０８４号〕について、次のとおり審決する。
【結　論】
　本件審判の請求は、成り立たない。
【理　由】
Ｉ．手続の経緯・本願発明
　本願は、平成１１年４月１３日の出願であって、その請求項１に係る発明は、平成１６年１月１４日付け手続補正書により補正された明細書および図面の記載からみて、その特許請求の範囲の請求項１に記載された事項により特定される次のとおりのものである（以下、「本願発明」という）。
　
　「熱溶着性シートと該シートに溶着して一方向へ延びる多数の熱溶着性長繊維とからなる使い捨て拭き取り用具であって、
　前記長繊維が前記一方向と交差する方向へ延びるとともに前記一方向へ間欠的に配置された複数条の溶着線によって前記シートに接合し、前記溶着線と溶着線との間にまたがる前記長繊維の一群によって前記一方向と交差する方向へ間欠的に並ぶ中高のブリッジ部が形成され、前記交差する方向において隣り合う前記ブリッジ部とブリッジ部との間では、前記両溶着線間に延びる前記長繊維の一群が長さを二分するように切断され、その二分された繊維のうちの少なくとも一方が、該繊維に対する溶着線を基端として前記シートから起立可能に形成されていることを特徴とする前記用具。」
　
II．引用例の記載事項
（引用例１）
　これに対して、原査定の拒絶の理由で引用した、特開平０９−１３５７９８号公報（以下、「引用例１」という）には、次の事項が図面とともに記載されている。
　Ａ．「【請求項１】熱溶着性シートと該シートに接合して一方向に延びる多数の熱溶着性長繊維とからなる使い捨て拭き取り用具であって、前記長繊維がこれと交叉する方向に延び、該長繊維の長手方向に間欠的に配設された複数の溶着線によって前記シートに接合していることを特徴とする前記拭き取り用具。」（【特許請求の範囲】）
　Ｂ．「拭き取り部１２では、連続フィラメントである長繊維２５が用具１の長辺方向に実質的に平行に並び、長繊維２５と交叉する方向に延びる溶着線でシート部１０に接合している。かかる拭き取り部１２は、熱溶着性長繊維２５の束であるトウを解繊して適宜の幅に広げ、連続して流れる熱溶着性シートウエブの面上にその長手方向に沿って連続的に供給し、これらのトウとシートとを加熱押圧してトウと交叉する方向に延びる溶着線を施して接合し、その後トウをシートと共に所要の長さで切断することによって得ることができる。切断後、シートウエブはシート部１０となり、トウは拭き取り部１２となる。」（【００１１】段落）
　Ｃ．「【発明の効果】この発明に係る拭き取り用具では、長繊維の束がこれと交叉する方向に延び、その長手方向において間欠的に配設された溶着線によってシート部に接合しているから、繊維は拭き取り作業中に容易に抜け落ちることがない。長繊維の束に対して溶着線が斜めに交叉している態様では、この用具を前後左右いずれの方向へ動かしても、溶着線近傍の高剛性の部位で汚れを強く拭き取ることができる。」（【００１８】段落）
　Ｄ．図３には、シート部１０と拭き取り部１２と溶着線９との、図２のIII−III線断面図が図示されている。この図より、溶着線９の位置で長繊維２５はシート部１０の表面に接合し、一方溶着線９から離れた位置で長繊維２５の断面がシート部１０の表面より盛り上がっているところからみて、溶着線９と溶着線９との間にまたがる長繊維２５の束は、用具１の長辺方向と交差する方向に並ぶ中高の山形部を形成していることが認められる。
　
　上記記載事項及び図示内容を総合し、本願発明の記載ぶりに則って整理すると、引用例１には次の発明（以下、「引用発明」という）が記載されている。
　
　「熱溶着性シートと該シートに接合して一方向に延びる多数の熱溶着性長繊維とからなる使い捨て拭き取り用具であって、前記長繊維が前記一方向と交叉する方向に延び、該長繊維の長手方向に間欠的に配設された複数の溶着線９によって前記シートに接合し、前記溶着線９と溶着線９との間にまたがる前記長繊維２５の束によって前記一方向と交差する方向に並ぶ中高の山形部が形成された前記用具。」
　
（引用例２）
　同じく、拒絶の理由に引用された、実願昭５７−１３９２４７号（実開昭５９−０４４９６３号）のマイクロフィルム（以下、「引用例２」という。）には、図面と共に、次の事項が記載されている。
　Ｅ．「不織布の表面に不織布と直結した円弧状部と直立毛部を混群立させ，混群立の両部の特徴を併用，洗滌効果と耐久性にすぐれた束子を提供しようとするものである。
　以下その詳細を図面の実施例について説明すると，（１）は発泡性合成樹脂からなるスポンジ，あるいは合成樹脂性繊維からなる不織布の公知の束子である，合成樹脂性繊維あるいは異形状の繊維を積層重合した不織布（２）で，第１図は不織布（２）の表面に不織布（２）と直結した円弧状部（３）と直立毛部（５）を突出形成混群立させたもので，円弧状部（３）は不織布（２）の表面に突出形成し，その円弧状部（３）の外側部又はその周部の上部（頂点）を円弧状部（３）が残設する程度に適宜の数を切断し，切断した繊維を直立毛部（５）として，その先端を切りそろえてもよく又はそのまま乱立状としてもよい，上記の如く形成すると円弧状部（３）と直立毛部（５）は直線的に併列させてもよい，あるいは円弧状部（３）を一面に突出形成し円弧状部（３）の頂点の中心を全部切断し直立毛部（５）として，切断しない円弧状部（３）と交互に配設してもよく，」（昭和５７年１０月１３日付け手続補正書に添付の明細書の第１頁第１２行〜第２頁第１２行）
　Ｆ．「本考案はその欠点を改良，円弧状部と直立毛部を不織布の表面に直結一体形成に依り剥離が妨止され，円弧状部は倒伏を防ぎ固形汚物等の掻き具となり，異形状の繊維の場合（角度をもつ繊維）掻き落し効果にすぐれ，又直立毛部は繊維の先端で洗滌し磨耗に優れ凹凸面や細部の汚れ落しに適し，細繊維とやや太目の繊維と混成すると硬軟の併用で弾力性に富んだ洗滌力と耐久性のある優れた製品を提供出来るもので，洗剤の併用も保持性のよいもので高級器物もキズをつける事なく安定し，有効な洗滌性を保持した両者の特徴を有するものである。」（同明細書の第３頁第１７行〜第４頁第８行）
　
　記載事項Ｅには、円弧状部（３）を不織布（２）の表面に突出形成し、その円弧状部（３）の外側部又はその周部の上部（頂点）を切断し、切断した繊維を直立毛部（５）として、不織布の表面に不織布と直結した円弧状部と直立毛部を混群立させ、束子としたものが記載されており、さらに、その直立毛部と円弧状部の形成配置について、「あるいは円弧状部（３）を一面に突出形成し円弧状部（３）の頂点の中心を全部切断し直立毛部（５）として，切断しない円弧状部（３）と交互に配設してもよく」とあるように、円弧状部（３）を構成する繊維が円弧状部の頂点の中心で全部切断され、すべて直立毛部（５）とされたものと、切断していない円弧状部（３）とを交互に配設することが記載されている。
　そして、記載事項Ｆには、円弧状部と直立毛部を不織布の表面に形成することにより、円弧状部が倒伏を防ぎ固形汚物等の掻き具となるとともに、直立毛部が凹凸面や細部の汚れ落しに適するという両者の特徴を有する束子となる旨記載されている。
　
III．対比
　そこで、本願発明と引用発明とを対比すると、その構造または機能からみて、後者の「熱溶着性シート」は、前者の「熱溶着性シート」に相当し、以下同様に、「多数の熱溶着性長繊維」は、「多数の熱溶着性長繊維」に、「使い捨て拭き取り用具」は「使い捨て拭き取り用具」に、そして、「一方向と交叉する方向に延び、該長繊維の長手方向に間欠的に配設された複数の溶着線」は、「一方向と交差する方向へ延びるとともに前記一方向へ間欠的に配置された複数条の溶着線」に、それぞれ相当し、また、後者の長繊維が「複数の溶着線によって前記シートに接合」していることは、前者の長繊維が「複数条の溶着線によって前記シートに接合」していることに相当する。
　さらに、後者の「溶着線９と溶着線９との間にまたがる前記長繊維２５の束によって前記一方向と交差する方向に並ぶ中高の山形部が形成され」ていることは、前者の「溶着線と溶着線との間にまたがる長繊維の一群によって前記一方向と交差する方向へ」「並ぶ中高のブリッジ部が形成され」ていることに相当する。
　
　したがって、両者は、本願発明の用語を用いて表現すると、次の点で一致する。
（一致点）
　「熱溶着性シートと該シートに溶着して一方向へ延びる多数の熱溶着性長繊維とからなる使い捨て拭き取り用具であって、
　前記長繊維が前記一方向と交差する方向へ延びるとともに前記一方向へ間欠的に配置された複数条の溶着線によって前記シートに接合し、前記溶着線と溶着線との間にまたがる前記長繊維によって前記一方向と交差する方向へ並ぶ中高のブリッジ部が形成されている前記用具。」
　
　そして、両者は、次の点で相違する。
（相違点）
　前者では、「溶着線と溶着線との間にまたがる長繊維の一群によって一方向と交差する方向へ間欠的に並ぶ中高のブリッジ部が形成され、前記交差する方向において隣り合う前記ブリッジ部とブリッジ部との間では、前記両溶着線間に延びる前記長繊維の一群が長さを二分するように切断され、その二分された繊維のうちの少なくとも一方が、該繊維に対する溶着線を基端としてシートから起立可能に形成されている」のに対して、後者では、かかる事項に欠ける点。
　
IV．判断
　上記相違点について検討する。
　引用例２には、引用発明と清掃具の技術分野で共通する束子について、円弧状部（３）を不織布（２）の表面に突出形成したものに、凹凸面や細部の汚れ落しに適するという機能を付加するために、一部の円弧上部（３）を切断して直線毛部（５）として、円弧状部（３）を構成する繊維が円弧状部の頂点の中心で全部切断され、すべて直立毛部（５）とされたものと、切断されていない円弧状部（３）とを交互に配設するという技術思想が記載されている。
　そこで、引用発明に、同様の機能を付加する目的で、引用例２記載の技術思想を適用し、引用発明の中高のブリッジ部（中高の山形部）を構成する繊維を円弧状部の頂点の中心、すなわち繊維を二分する位置で全部切断し、直立毛部すなわち起立した繊維としたものと、切断していない円弧状部（３）とを交互に配設する構成をとるようにするともに、配列にあたり、中高のブリッジ部（中高の山形部）は、熱溶着性長繊維の延びる方向とこれと交差する溶着線の延びる方向の二方向に並列しているところ、配列方向としてこれら二方向から後者を適宜選択し、相違点に係る本願発明の発明特定事項のようにすることは、当業者が容易に想到し得たことである。
　
　そして、本願発明による効果も、引用発明及び引用例２記載のものから当業者が予測し得た程度のものであって、格別のものとはいえない。
　
Ｖ．むすび
　したがって、本願発明は、引用発明及び引用例２記載のものに基づいて、当業者が容易に発明をすることができたものであるので、特許法第２９条第２項の規定により、特許を受けることができない。
　よって、結論のとおり審決する。